(57)【要約】【課題】情報記録再生装置および情報再生方法において、算出誤差を生じることなく正確な記録学習が行えるようにする。【解決手段】情報記録再生装置１は、記録データ補正手段によって記録データに応じて生成される記録波形を補正するための補正データを生成する。また、情報記録再生装置１は、その補正データを生成するために行うパターン判別に用いられる判別用データを、ＰＲＭＬ信号処理手段から出力される復号データと記録データとを用いて生成し、その生成された判別用データを記録データ補正手段に出力する。【選択図】図１
2008010124.tif 000002
【特許請求の範囲】
【請求項１】
記録媒体に記録されている情報を読み取り、再生信号を出力する再生信号出力手段と、該再生信号出力手段から出力される前記再生信号についてのＰＲＭＬ方式による信号処理を行うＰＲＭＬ信号処理手段と、前記記録媒体に記録される記録データを生成する記録データ生成手段とを備えた情報記録再生装置であって、
前記記録データに応じて生成される記録波形を補正するための補正データを生成する記録データ補正手段と、
該記録データ補正手段が前記補正データを生成するために行うパターン判別に用いられる判別用データを、前記ＰＲＭＬ信号処理手段から出力される復号データと前記記録データとを用いて生成し、該生成された判別用データを前記記録データ補正手段に出力する判別用データ出力手段とを有することを特徴とする情報記録再生装置。
【請求項２】
前記判別用データ出力手段は、前記復号データに前記記録データをマージするデータマージ部を有し、該データマージ部により生成されたマージデータを前記判別用データとして出力することを特徴とする請求項１記載の情報記録再生装置。
【請求項３】
前記判別用データ出力手段は、前記データマージ部により生成された前記マージデータを前記判別用データとして出力する第１のモードと、前記復号データを前記判別用データとして出力する第２のモードで作動するように構成されていることを特徴とする請求項２記載の情報記録再生装置。
【請求項４】
前記判別用データ出力手段を前記第１のモードと、前記第２のモードのいずれかで作動させるためのモード選択信号を前記判別用データ出力手段に入力するモード選択信号入力手段を更に有し、
前記判別用データ出力手段は、前記モード選択信号入力手段から入力される前記モード選択信号に応じて、前記第１のモードまたは前記第２のモードのいずれか一方を選択する選択部を更に有することを特徴とする請求項３記載の情報記録再生装置。
【請求項５】
前記判別用データ出力手段は、前記復号データの同期コードを検出する同期コード検出手段を有し、
前記データマージ部は、前記同期コード検出手段により検出された前記同期コードに基づいて、前記復号データに前記記録データをマージすることを特徴とする請求項２〜４のいずれか一項記載の情報記録再生装置。
【請求項６】
前記ＰＲＭＬ信号処理手段は、前記再生信号出力手段から出力される前記再生信号についての振幅誤差を検出して適切な振幅に制御する振幅制御部と、
該振幅制御部により制御された前記再生信号についてのオフセット成分を除去するオフセットキャンセル部と、
該オフセットキャンセル部により前記オフセット成分を除去された前記再生信号についてのアシンメトリ成分を除去するアシンメトリキャンセル部と、
前記オフセット成分および前記アシンメトリ成分を除去された前記再生信号について、適用されるＰＲ特性の応答となるように波形等化を行う適応等化器と、
該適応等化器からの出力信号に基づき最尤列推定を行い、前記復号データを出力するビタビ復号器とを有することを特徴とする請求項１〜５のいずれか一項記載の情報記録再生装置。
【請求項７】
前記ＰＲＭＬ信号処理手段は、前記判別用データ出力手段により生成された前記判別用データから得られる理想信号を用いて等価誤差信号を生成する等価誤差信号生成手段を更に有し、
前記振幅制御部、前記オフセットキャンセル部、前記アシンメトリキャンセル部、前記適応等化器の少なくとも１つが、前記等価誤差信号生成手段により生成された前記等価誤差信号に基づいて制御されるように構成されていることを特徴とする請求項６記載の情報記録再生装置。
【請求項８】
前記ＰＲＭＬ信号処理手段は、前記振幅制御部、前記オフセットキャンセル部、前記アシンメトリキャンセル部、前記適応等化器の制御ゲインが、前記モード選択信号に応じて変動するように構成されていることを特徴とする請求項７記載の情報記録再生装置。
【請求項９】
前記判別用データ出力手段から出力される前記判別用データを用いて、前記再生信号出力手段から出力される前記再生信号と、前記アシンメトリキャンセル部により前記アシンメトリ成分を除去された前記再生信号との位相比較を行い、同期クロックを生成するクロック生成手段を更に有する請求項６〜８のいずれか一項記載の情報記録再生装置。
【請求項１０】
記録媒体に記録されている情報を読み取り、再生信号を出力する再生信号出力手段と、該再生信号出力手段から出力される前記再生信号についてのＰＲＭＬ方式による信号処理を行うＰＲＭＬ信号処理手段と、前記記録媒体に記録される記録データを生成する記録データ生成手段とを備えた情報記録再生装置に適用される情報記録再生方法であって、
前記ＰＲＭＬ信号処理手段から出力される復号データと前記記録データとを用いてパターン判別に用いられる判別用データを生成し、該生成された判別用データを用いて、前記記録データに応じて生成される記録波形を補正するための補正データを生成することを特徴とする情報記録再生方法。
【発明の詳細な説明】
【技術分野】
【０００１】
本発明は、光ディスクを用いて情報の記録および再生を行う情報記録再生装置および情報記録再生方法に関する。
【背景技術】
【０００２】
従来から、デジタルデータを記録および再生することが可能な記録媒体として、ＤＶＤ（ｄｉｇｉｔａｌ  ｖｅｒｓａｔｉｌｅ  ｄｉｓｋ）に代表される光ディスクがある。このうち、光ディスク、例えば、ＤＶＤファミリーの１つであるＤＶＤ−ＲＡＭでは、記録媒体（ディスク）に信号の記録層が備えられていて、この記録層に適切なエネルギーを持つレーザ光が照射されることで記録層の結晶状態が変化し、その記録層に再度適切なエネルギーのレーザ光が照射されると、記録層の結晶状態に応じた量の反射光が得られる。この反射光が検出されることによって、デジタルデータの再生が行われるようになっている。
【０００３】
また、従来の情報記録再生装置では、記録時に書き込み状態が最適となるようにするため、記録学習とよばれる技術が採用されていることがあった。記録学習とは、デジタルデータの記録前にテストデータを試験的に記録し、そのテストデータを記録媒体から読み取って得られる再生信号の品質を評価して、記録しようとするデジタルデータを補正するというものである。この記録学習を行うための回路（記録学習回路）を備えている情報記録再生装置に関して、従来例えば特許文献１に開示されている情報記録再生装置があった。
【０００４】
この情報記録再生装置では、次のようにして記録学習回路が構成されている。この記録学習回路は、予め設定された数種類のパターンが登録されているパターン判別器と、適用されるＰＲ特性（Ｐａｒｔｉａｌ  Ｒｅｓｐｏｎｓｅ特性）に応じた理想的な再生信号（以下「理想信号」という）を生成する理想信号算出器と、理想信号と再生信号との距離差を算出する距離計算器と、算出された距離差に基づいて記録波形の波形補償量を算出するパラメータ算出部とを有している。
【０００５】
そして、この記録学習回路では、パターン判別器により、入力される記録データと一致するパターンが判別され、その判別されたパターンに応じた理想信号が理想信号算出器により生成される。また、その理想信号と、位相調整が行われた再生信号との距離差が距離計算器により算出され、算出された距離差に基づいて、波形補償量がパラメータ算出部により算出されるようになっている。
【０００６】
また、特許文献１には、再生信号に対する位相調整が難しい場合を考慮して、記録データの代わりにビタビ復号器から出力される復号データを用いて、パターン判別器がパターン判別を行うようにしている情報記録再生装置も開示されている。
【特許文献１】特開２００５−３３２５７１号公報
【発明の開示】
【発明が解決しようとする課題】
【０００７】
上述のとおり、記録データを用いてパターン判別を行うときは、理想信号と再生信号との距離差を求めるにあたって、再生信号の位相調整を行う必要がある。そのため、この位相調整が難しい場合は、ビタビ復号器から出力される復号データを用いてパターン判別を行うほうがよい。
【０００８】
しかし、記録媒体からデジタルデータを読み出した際の復号エラーによって、再生信号が劣化しているため、ビタビ復号器から出力される復号データを用いてパターン判別が行われ、判別されたパターンに応じた理想信号が生成されると、その理想信号にもエラーが含まれ、理想信号が理想的とはいえなくなってしまう。そうすると、このような情報記録再生装置では、距離差を算出する際に算出誤差を生じるため、正確な記録学習を行えなくなってしまう。
【０００９】
そこで、本発明は上記課題を解決するためになされたもので、光ディスクを用いて情報の記録および再生を行う情報記録再生装置および情報再生方法において、算出誤差を生じることなく正確な記録学習が行えるようにすることを目的とする。
【課題を解決するための手段】
【００１０】
上記課題を解決するため、本発明は、記録媒体に記録されている情報を読み取り、再生信号を出力する再生信号出力手段と、その再生信号出力手段から出力される再生信号についてのＰＲＭＬ方式による信号処理を行うＰＲＭＬ信号処理手段と、記録媒体に記録される記録データを生成する記録データ生成手段とを備えた情報記録再生装置であって、記録データに応じて生成される記録波形を補正するための補正データを生成する記録データ補正手段と、記録データ補正手段が補正データを生成するために行うパターン判別に用いられる判別用データを、ＰＲＭＬ信号処理手段から出力される復号データと記録データとを用いて生成し、その生成された判別用データを記録データ補正手段に出力する判別用データ出力手段とを有する情報記録再生装置を提供する。
【００１１】
また、本発明は、記録媒体に記録されている情報を読み取り、再生信号を出力する再生信号出力手段と、その再生信号出力手段から出力される再生信号についてのＰＲＭＬ方式による信号処理を行うＰＲＭＬ信号処理手段と、記録媒体に記録される記録データを生成する記録データ生成手段とを備えた情報記録再生装置に適用される情報記録再生方法であって、ＰＲＭＬ信号処理手段から出力される復号データと記録データとを用いてパターン判別に用いられる判別用データを生成し、その生成された判別用データを用いて、記録データに応じて生成される記録波形を補正するための補正データを生成することを特徴とする情報記録再生方法を提供する。
【発明の効果】
【００１２】
以上詳述したように、本発明によれば、光ディスクを用いて情報の記録および再生を行う情報記録再生装置および情報再生方法において、算出誤差を生じることなく正確な記録学習が行えるようになる。
【発明を実施するための最良の形態】
【００１３】
以下、本発明の実施の形態について説明する。なお、同一要素には同一符号を用い、重複する説明は省略する。
【００１４】
（情報記録再生装置の構成）
本発明の実施の形態に係る情報記録再生装置１は、図１に示すように、記録媒体として光ディスクＤが用いられ、光ディスクＤに記録されているデジタルデータを再生し、また、デジタルデータを光ディスクＤに記録できるようになっている。この情報記録再生装置１は、光ディスクＤを保持し所定回転数で回転させる駆動機構２と、光ピックアップ等を備えたＰＵＨ(Ｐｉｃｋ  ｕｐ  ｈｅａｄ)３およびプリアンプ４を有している。
【００１５】
ＰＵＨ３は、適切なレーザ光を光ディスクＤに照射して光ディスクＤからの反射光を検出し、微弱なアナログ信号としての再生信号をプリアンプ４に出力する。プリアンプ４は、ＰＵＨ３から出力される再生信号について増幅等の処理を施し、十分な信号レベルにした後の再生信号を図示しないプリイコライザに出力する。そのプリイコライザは、プリアンプ４で増幅等の処理を施されたアナログ再生信号に対して事前の波形等化を行い、波形等化後のアナログ再生信号を出力する。これらＰＵＨ３、プリアンプ４および図示しないプリイコライザによって、本発明における再生信号出力手段が構成されている。
【００１６】
また、情報記録再生装置１は、ＡＤ変換器（ＡＤ  Ｃｏｎｖｅｒｔｅｒ）５と、再生ストリーム系回路１０と、タイミングリカバリ系回路２０と、ＮＲＺＩ同期化回路３０とを有している。さらに、情報記録再生装置１は、ＭＰＵ４０と、遅延器４１と、記録学習回路５０と、記録系回路６０および記録波形生成部７０とを有している。
【００１７】
ＡＤ変換器５は、入力されるアナログ再生信号について、そのレベル値をデジタル値に変換してデジタル再生信号を出力する。
【００１８】
再生ストリーム系回路１０は、ＡＤ変換器５から出力されるデジタル再生信号について、ＰＲＭＬ方式による信号処理を行うＰＲＭＬ信号処理手段としての機能を有している。
【００１９】
この再生ストリーム系回路１０は、ＡＧＣ回路１１により、デジタル再生信号についての振幅誤差が検出されて適切な振幅に制御され、その制御されたデジタル再生信号についてのオフセット成分をオフセットキャンセル回路１２が検出して除去し、さらに、アシンメトリ成分をアシンメトリキャンセル回路１３が検出して除去する。
【００２０】
こうして得られるデジタル再生信号について、適用されるＰＲ特性の応答となるように、適応等化器１４が波形等化を行う。そして、適応等化器１４から出力される波形等化後の再生信号に基づき、ビタビ復号器１５が最尤列推定(ビタビ復号)を行い、２値化されたビタビ復号データｖｄがビタビ復号器１５から出力される。
【００２１】
また、再生ストリーム系回路１０は、ＮＲＺＩ同期化回路３０から出力される後述するＮＲＺＩデータｎｄを用いて、理想信号生成部１６が理想信号を生成する。その生成された理想信号と、適応等化器１４からの出力信号を遅延器１７で遅延させた遅延出力信号とを用いて、等化誤差信号生成部１８が等化誤差信号を生成する。
【００２２】
さらに、再生ストリーム系回路１０では、等化誤差信号生成部１８により生成される等化誤差信号に基づいて、ＡＧＣ回路１１、オフセットキャンセル回路１２、アシンメトリキャンセル回路１３および適応等化器１４が制御されている。
【００２３】
次に、タイミングリカバリ系回路２０は、位相比較器２１により、ＡＤ変換器５から出力されるデジタル再生信号と、アシンメトリキャンセル回路１３からの出力信号との位相比較を行い、位相誤差情報を検出する。そして、位相比較器２１には、ＮＲＺＩデータｎｄに基づき、理想信号生成部２２により生成された理想信号が入力される。
【００２４】
さらに、タイミングリカバリ系回路２０では、周波数誤差検出器２３により、ＡＤ変換器５から出力されるデジタル再生信号を用いて、現在の再生波形の周波数と目標周波数との周波数誤差情報が検出され、ループフィルタ２４によって、位相誤差情報と周波数誤差情報とから周波数が制御される。
【００２５】
また、ＶＣＯ（Ｖｏｌｔａｇｅ  Ｃｏｎｔｒｏｌｌｅｄ  Ｏｓｃｉｌｌａｔｏｒｓ）２５により、ＡＤ変換器５、再生ストリーム系回路１０および記録学習回路５０に同期クロックＣＬが供給されている。したがって、タイミングリカバリ系回路２０によって、本発明におけるクロック生成手段が構成されている。
【００２６】
ＮＲＺＩ同期化回路３０は、本発明における判別用データ出力手段であって、図３に示すように、ＳＹＮＣ検出部３１と、データマージ部３２と、データ選択部３３とを有している。このＮＲＺＩ同期化回路３０は、後述するＳＹＮＣ検出を行いながら同期をとって、後述するデータマージを行い、マージデータｍｒを生成する。
【００２７】
ＳＹＮＣ検出部３１は、ビタビ復号データｖｄを入力して、ビタビ復号データｖｄのＳＹＮＣコード（同期コード、例えば１３Ｔ３Ｔ）を検出するＳＹＮＣ検出を行い、その検出したＳＹＮＣコードをデータマージ部３２に出力する。
【００２８】
ここで、ビタビ復号データｖｄは、図４に示すように、ＶＦＯ（Ｖａｒｉａｂｌｅ  Ｆｒｅｑｕｅｎｃｙ  Ｏｓｃｉｌｌａｔｏｒ）領域ｖｄ１に続いて、フレームと呼ばれる１１１６チャネルビットごとのデータ列ｖｄ２、ｖｄ３、ｖｄ４を有している。
【００２９】
また、各フレームは、先頭に各フレームの開始位置を示す２４チャネルビットのＳＹＮＣコード（ＳＹ０、ＳＹ１、ＳＹ２、ＳＹ３）を有し、そのＳＹＮＣコードに続いてデータ部（Ｄａｔａ）を有している。記録データＲＤも、ビタビ復号データｖｄと同様のデータ構造を有している。すなわち、記録データＲＤは、ＶＦＯ領域ＲＤ１に続いて、データ列ＲＤ２、ＲＤ３、ＲＤ４を有している。
【００３０】
データマージ部３２は、ＳＹＮＣ検出部３１から出力されるＳＹＮＣコードにしたがって後述するデータマージを行い、マージデータｍｒを生成する。また、データマージ部３２は、生成されたマージデータｍｒを選択部３３に出力する。選択部３３は、ＭＰＵ４０から出力されるモード選択信号ｓｄに基づいて後述するモード選択を行い、マージデータｍｒまたはビタビ復号データｖｄのうちの選択されたモードに応じたデータを出力する。
【００３１】
また、選択部３３から出力されるデータは、パターン判別器５１に入力され、パターン判別器５１におけるパターン判別に用いられることから、記録データＲＤと同様に、後述するＮＲＺＩ波形で生成されたＮＲＺＩデータｎｄとなっている。この選択部３３から出力されるＮＲＺＩデータｎｄは、本発明における判別用データに対応している。
【００３２】
データマージ部３２によるデータマージは以下のようにして行われる。データマージ部３２によるデータマージは、ビタビ復号データｖｄと同期をとりながら、記録データＲＤをビタビ復号データｖｄにマージする同期マージとなっている。
【００３３】
データマージ部３２は読み込んだ記録データＲＤを準備しておき、一方、ビタビ復号データｖｄについては、ＶＦＯ領域ｖｄ１を検知して読み込み開始位置を決める。次に、データマージ部３２はＳＹＮＣ検出部３１から出力されるＳＹＮＣコードをキーにして、記録データＲＤとビタビ復号データｖｄとの同期を取りながら、記録データＲＤの各データ列ＲＤ２、ＲＤ３、ＲＤ４について、データ部（Ｄａｔａ）をビタビ復号データｖｄの対応する各データ列ＲＤ２、ＲＤ３、ＲＤ４のデータ部（Ｄａｔａ）にそれぞれ転記する（図４の矢印ｔはデータ部の転記を示している）。
【００３４】
以上によって、ビタビ復号データｖｄを基準にして、そのビタビ復号データｖｄに記録データＲＤがマージされたマージデータｍｒが生成される。なお、情報記録再生装置１では、記録データＲＤとして、ＶＦＯ領域やＳＹＮＣコードを使用しているが、データ構造が異なるときはこれらを使用しなくてもよい。
【００３５】
次に、選択部３３によるモード選択とは、記録学習モード（第１のモード）と、通常再生モード（第２のモード）とのいずれかのモードを選択することを意味している。ここで、記録学習モードとは、データマージ部３２によるデータマージによって生成されるマージデータｍｒを選択部３３から出力し、記録学習回路５０のパターン判別器５１に出力するモードである。
【００３６】
通常再生モードとは、ビタビ復号器１５からのビタビ復号データｖｄをＮＲＺＩデータｎｄとして直接、記録学習回路５０のパターン判別器５１に出力するモードである。通常再生モードでは、光ディスクＤからデジタルデータの読み取りが行われるものの、デジタルデータの記録は行われないので、記録学習も行われない。そのため、通常再生モードでは、ビタビ復号データｖｄが出力される（このとき、ビタビ復号データｖｄは復調回路５５に入力される）。
【００３７】
そして、選択部３３は上述のモード選択を行うときは、図５に示すフローチャートに沿ってモード選択処理を実行する。選択部３３はモード選択処理を開始すると、ステップ１でモード選択信号ｓｄを入力した後ステップ２に処理を進め、入力したモード選択信号ｓｄが通常再生モードを示すか否かを判定する。
【００３８】
ここで、モード選択信号ｓｄが通常再生モードを示すときは、処理をステップ３に進め、そうでなければ処理をステップ４に進める。選択部３３は、処理をステップ３に進めるときはビタビ復号データｖｄをＮＲＺＩデータｎｄとして出力する。選択部３３は、処理をステップ４に進めると、エラー率が高いか否かを判定し、エラー率が高くなければステップ３に処理を進めるが、エラー率が高いときは、記録学習モードが選択されたとして処理をステップ５に進め、マージデータｍｒをＮＲＺＩデータｎｄとして出力する。ステップ３、５を実行すると、モード選択処理が終了する。
【００３９】
記録学習回路５０は、パターン判別器５１と、理想信号生成部５２と、距離差分算出部５３と、パラメータ算出部５４とを有している。記録学習回路５０は、記録データＲＤから生成される記録波形を補正するための後述する波形補償量データＷＣ（補正データ）を生成する記録データ補正手段としての機能を有している。
【００４０】
パターン判別器５１は、予め設定された数種類のパターンが登録されている。パターン判別器５１には、ＮＲＺＩ同期化回路３０から出力されるＮＲＺＩデータｎｄが入力されるので、パターン判別器５１は、入力されるＮＲＺＩデータｎｄと一致するパターンを判別するパターン判別を行う。そして、パターン判別器５１は、一致するパターンが登録されているパターンのどれと同じであるのかを示すパターン指示信号を生成し、そのパターン指示信号に対応する２値パターンを理想信号生成部５２に出力する。
【００４１】
理想信号生成部５２は、パターン判別器５１から供給される２値パターンから、適用されるＰＲ特性に応じた理想信号を生成する。
【００４２】
距離差分算出部５３は、理想信号生成部５２により生成された理想信号と、遅延器４１から出力された再生信号ＥＱＯＵＴとの距離差（ユークリッド距離差）を算出し、その算出した距離差に対する所定の演算処理を行い、その演算処理で得られた距離差データを図示しない距離差メモリに格納する。
【００４３】
パラメータ算出部５４は、所定量のデータが光ディスクＤから再生された時点で、距離差メモリに格納されている距離差データに基づいて所定のパラメータ演算を行い、記録波形の波形補償量データＷＣを算出する。この波形補償量データＷＣは、基準クロックＲＣ、記録データＲＤとともに記録波形生成部７０に供給される。
【００４４】
次に、記録系回路６０は、メモリ６１、データ付加部６２、スクランブル処理部６３、エンコード処理部６４、変調回路６５およびＤＳＶ制御部６６を有し、これらにより、予め記録するときに決めておいた元データとなるメインデータ（Ｍａｉｎ  ｄａｔａ）ＭＤから、記録データＲＤを生成する。
【００４５】
まず、データ付加部６２がメモリ６１からメインデータＭＤを読み出し、その読み出したメインデータＭＤ（２０４８バイト）にデータＩＤ（４バイト），ＩＥＤ（Ｄａｔａ  ＩＤ  Ｅｒｒｏｒ  Ｄｅｔｅｃｔｉｏｎ  Ｃｏｄｅ、２バイト），ＲＳＶ（予約バイト、６バイト）を付加する。
【００４６】
また、データ付加部６２は、こうして得られる２０６０バイトのデータに対して、４バイトのＥＤＣ（Ｅｒｒｏｒ  Ｄｅｔｅｃｔｉｎｇ  Ｃｏｄｅ、ビットエラーを検出するためのコード）を付加して、２０６４バイトのセクタデータＭＤ１とする。
【００４７】
次に、スクランブル処理部６３がセクタデータＭＤ１のうちのメインデータＭＤだけにスクランブル処理を行い、セクタデータＭＤ２とする。
【００４８】
続いて、エンコード処理部６４がセクタデータＭＤ２を３２個集めてＥＣＣ（Ｅｒｒｏｒ  ｃｏｒｒｅｃｔｉｎｇ  ｃｏｄｅ）エンコード処理を行い、ＰＩ、Ｐ０パリティを付加してＥＣＣブロックの形にする。その後、Ｐ０をインターリーブして、ＥＣＣブロックデータＭＤ３が得られる（ＥＣＣブロックデータＭＤ３のデータサイズは、３２個分のセクタデータＭＤ２にＰＩ、Ｐ０パリティが付加され、７５７１２バイトとなっている）。
【００４９】
このデータ構造のＥＣＣブロックデータＭＤ３が変調回路６５に送られる。変調回路６５は、例えばＥＴＭ変調を行うときは、各セクタデータＭＤ２を２６個のフレームに分割する。各フレームは、２４チャネルビットのＳＹＮＣコードと、１０９２チャネルビットのデータとからなり、合わせて１１１６チャネルビット（９３バイト）で構成されている。
【００５０】
そして、変調回路６５は、図２に示すようなＶＦＯを含む構造の記録用データＤを生成する。この記録用データＤには、Ｄ１（ＶＦＯ）、Ｄ２（Ｄａｔａ），Ｄ３（Ｐｏｓｔａｍｂｌｅ），Ｄ４（Ｒｅｓｅｒｖｅｄ），Ｄ５（Ｂｕｆｆｅｒ），Ｄ６（Ｇｕａｒｄ）の各項目が設けられている。
【００５１】
Ｄ１は、７ＥがＥＴＭ変調されることによって、ＶＦＯパターンとなっている。Ｄ２は、それぞれ９３バイトのフレーム２６個分のセクタデータＭＤ２が３２個あるので、７７３７６バイト（＝９３×２６×３２）になっている。Ｄ３はＳＹＮＣコードを示し、Ｄ４は００ｈを変調して生成されている。Ｄ５はバッファとして使用され、Ｄ６は記録用データＤの転送終了時に付加されている。
【００５２】
さらに、ＤＳＶ制御部６６が必要な場合にＤＳＶ制御（Ｄｉｇｉｔａｌ  Ｓｕｍ  Ｖａｌｕｅ制御）を行い、これにより、記録データＲＤが生成される。
【００５３】
記録波形生成部７０は、供給される基準クロックＲＣ、記録データＲＤおよび波形補償量データＷＣに基づいて、適宜波形補償された（適宜制御された）記録波形パルスＥＰを生成し、ＰＵＨ３に出力する。
【００５４】
記録波形生成部７０は、例えば図６の（ａ）に示すような周期Ｔの基準クロックＲＣ、および図６の（ｂ）に示すような長さｎＴのＮＲＺＩ（Ｎｏｎ−Ｒｅｔｕｒｎ  ｔｏ  Ｚｅｒｏ  Ｉｎｖｅｒｔｅｄ）波形のデータ（ＮＲＺＩデータ）が与えられると、図６の（ｃ）に示すような記録波形パルスＥＰを生成するように構成されている。
【００５５】
また、記録波形生成部７０は、与えられた波形補償量データＷＣに応じて、図６の（ｃ）に示す記録波形パルスＥＰの例えば先頭パルス（ファーストパルス）のパルス幅を増減させることによって、記録波形を補正するように構成されている。なお、記録波形を補正するときは、ファーストパルスのパルス幅を増減させるだけでなく、ラストパルス、クーリングパルスの幅を増減することもある。
【００５６】
このように、基準クロックＲＣ、記録データＲＤおよび波形補償量データＷＣに応じて変化する記録波形パルスＥＰを生成する記録波形生成部７０の内部構成については、例えば特開２０００−９０４３６号に具体的に開示されている（ただし、特開２０００−９０４３６号の実施の形態における波形補正量ＷＣＡと本願発明の実施の形態における波形補償量データＷＣとは内容が異なる）。
【００５７】
（情報記録再生装置の動作内容）
以上の構成を有する情報記録再生装置の試し書きを行う場合の動作内容について説明する。
【００５８】
まず、情報記録再生装置１では、記録データＲＤを光ディスクＤに試験的に書き込む試し書きが行われるとする。この場合、記録波形生成部７０によって、供給される基準クロックＲＣおよび記録データＲＤに応じて記録波形が生成され、その記録波形から波形補償量データＷＣに応じて補正された記録波形パルスＥＰが生成され、その補正後の記録波形パルスＥＰがＰＵＨ３に出力される。ＰＵＨ３は、記録波形パルスＥＰにしたがってレーザ光を光ディスクＤに照射し、記録データＲＤが光ディスクＤに記録される。
【００５９】
続いて、情報記録再生装置１では、試し書きで書き込まれた記録データＲＤを光ディスクＤから読み取って再生信号が生成され、再生ストリーム系回路１０によって、その再生信号を用いてビタビ復号データｖｄが生成される。
【００６０】
この場合、ＰＵＨ３、プリアンプ４が作動することによってアナログ再生信号が生成され、そのアナログ再生信号からＡＤ変換器５によってデジタル再生信号が生成される。
【００６１】
また、このデジタル再生信号について、ＡＧＣ回路１１、オフセットキャンセル回路１２およびアシンメトリキャンセル回路１３により、それぞれ振幅の制御、オフセット成分およびアシンメトリ成分が除去される。
【００６２】
さらに、適応等化器１４およびビタビ復号器１５により、ＰＲＭＬ方式による信号処理が行われ、ビタビ復号データｖｄが生成される。
【００６３】
そして、情報記録再生装置１では、ＮＲＺＩ同期化回路３０によって、ＮＲＺＩデータｎｄが生成され、そのＮＲＺＩデータｎｄが記録学習回路５０に入力される。
【００６４】
この場合、ＳＹＮＣ検出部３１により、ビタビ復号データｖｄのＳＹＮＣコードが検出される。また、データマージ部３２が上述したデータマージを行い、マージデータｍｒを生成する。さらに、記録学習が行われることによって、ＭＰＵ４０から記録学習モードを示すモード選択信号ｓｄが選択部３３に入力されるので、選択部３３がマージデータｍｒをＮＲＺＩデータｎｄとして出力する。
【００６５】
こうして生成されたＮＲＺＩデータｎｄが記録学習回路５０に入力され、記録学習回路５０による記録学習が行われる。すなわち、パターン判別器５１により、入力されるＮＲＺＩデータｎｄと一致するパターンが判別される。その判別されたパターンに応じた理想信号が理想信号生成部５２により生成される。また、その生成された理想信号と、遅延器４１による位相調整が行われた波形等化後の再生信号との距離差が距離差分算出部５３により算出され、算出された距離差に基づいて、波形補償量データＷＣがパラメータ算出部５４により算出される。
【００６６】
そして、記録波形生成部７０が基準クロックＲＣ、記録データＲＤおよび波形補償量データＷＣに基づいて、適宜波形補償された記録波形パルスＥＰを生成してＰＵＨ３に出力する。ＰＵＨ３では、記録波形パルスＥＰにしたがってレーザ光を照射して、記録データＲＤが光ディスクＤに記録される。
【００６７】
以上のような構成を有し、以上のように作動する情報記録再生装置１では、以下のような作用効果がある。
【００６８】
ビタビ復号データｖｄのＤａｔａ部には、光ディスクＤからＰＵＨ３によってデジタルデータを読み出し、再生信号を生成する際の復号エラーが含まれていることがある。しかし、記録データＲＤは再生信号に基づくビタビ復号データｖｄとは異なり、光ディスクＤに記録される前の既知データであるから、Ｄａｔａ部に復号エラーが含まれることはない。
【００６９】
そのため、情報記録再生装置１は、データマージ部３２により生成されるマージデータｍｒを用いることによって、復号エラーが含まれない理想的なデータを用いてパターン判別を行えるようになる。したがって、情報記録再生装置１は、距離差分算出部５３により、距離差を算出する際の算出誤差を生じることもない。よって、情報記録再生装置１は、正確な記録学習を行うことができる。
【００７０】
また、記録データＲＤを用いてパターン判別を行うと、位相調整を行わねばならず、その位相調整が難しい場合がある。しかしながら、マージデータｍｒはビタビ復号データｖｄを基準にして生成されている（マージデータｍｒはビタビ復号データｖｄと同期を取りながら、記録データＲＤをマージして生成されている）から、マージデータｍｒを用いてパターン判別を行えば、ビタビ復号データｖｄを用いる場合と同様に位相調整を容易に行える。
【００７１】
したがって、情報記録再生装置１は、マージデータｍｒを用いてパターン判別を行うことによって、復号エラーが含まれない理想的なデータを用いてパターン判別が行えるだけでなく、位相調整の困難性も解消されている。
【００７２】
さらに、ＮＲＺＩ同期化回路３０がマージデータｍｒを出力する記録学習モードと、ビタビ復号データｖｄを出力する通常再生モードとで作動するように構成されているから、情報記録再生装置１は、ＮＲＺＩデータｎｄの出力モードを記録学習モードと通常再生モードの２つのモードから選べるようになっている。
【００７３】
また、ＮＲＺＩ同期化回路３０が、モード選択信号ｓｄにしたがい記録学習モードと通常再生モードの２つのモードのいずれか一方を選択する選択部３３を有しているから、モード選択信号ｓｄを変えることによって、記録学習モードと通常再生モードの２つのモードを選べるようにもなっている。
【００７４】
更に、ＮＲＺＩ同期化回路３０は、エラー率が高いときにだけマージデータｍｒを出力し、エラー率が低いときはビタビ復号データｖｄを出力している。記録学習が行われることによって、ビタビ復号データｖｄを理想的なデータにすることができ、この場合はマージデータｍｒを出力しなくてもよい。ＮＲＺＩ同期化回路３０は、このような要請に対応した構成を有している。
【００７５】
そして、等化誤差信号生成部１８がＮＲＺＩデータｎｄから得られる理想信号を用いて等価誤差信号を生成しているから、その等価誤差信号にもエラーがなくなる。したがって、等価誤差信号に基づいて制御される回路（ＡＧＣ回路１１、オフセットキャンセル回路１２、アシンメトリキャンセル回路１３および適応等化器１４）の制御ゲインを高めに設定することもでき、これによるエラー率低減にもつながる。
【００７６】
また、記録学習モードと通常再生モードの２つのモードを変えると、ＮＲＺＩデータｎｄが、マージデータｍｒとビタビ復号データｖｄのいずれかに変更される。そのため、情報記録再生装置１は、モード選択信号ｓｄにしたがうモード選択を行うことによって、等価誤差信号に基づいて制御される回路の制御ゲインを変更することもできる。
【００７７】
タイミングリカバリ系回路２０では、通常再生モードでは、位相比較器２１がアシンメトリキャンセル回路１３からの出力信号を用いて位相比較を行う。これに対し、記録学習モードでは、位相比較器２１が理想信号生成部２２により生成された理想信号を用いて位相比較を行うことができる（通常再生モード、記録学習モードはＭＰＵ４０からの指示で切り替えられる）。
【００７８】
そのため、位相比較器２１による位相の引き込みが安定して行われるようになり、広いキャプチャーレンジを達成し、ＰＬＬ（Ｐｈａｓｅ  Ｌｏｃｋｅｄ  Ｌｏｏｐ）の安定性を高めることができる。
【００７９】
そして、ＮＲＺＩ同期化回路３０のＳＹＮＣ検出部３１は、既存の復調回路にあるものを流用することが可能である。そのため、上記の情報記録再生装置１のようにすれば、回路規模が増大することもない。
【００８０】
なお、記録データＲＤとビタビ復号データｖｄとのＳＹＮＣコードで同期をとりながらの比較を行い、ある一定以上のエラーがあると判断できた場合は、ディフェクトが発生したと判定することもできる。これにより、リアルタイムにリジェクトすることもできる。
【図面の簡単な説明】
【００８１】
【図１】本発明の実施の形態に係る情報記録再生装置内部の回路構成を示すブロック図である。
【図２】記録系回路で生成されるＶＦＯを含む記録用データの構造の一例を示す図である。
【図３】ＮＲＺＩ同期化回路内部の回路構成の一例を示すブロック図である。
【図４】記録データのデータ構造およびビタビ復号データのデータ構造の一例を示すブロック図である。
【図５】ＮＲＺＩ同期化回路を構成する選択部が行うモード選択処理の動作手順を示すフローチャートである。
【図６】生成される波形の一例を示す図で（ａ）は基準クロック、（ｂ）はＮＲＺＩ波形、（ｃ）は記録波形を示している。
【符号の説明】
【００８２】
１…情報記録再生装置、１０…ストリーム系回路
１１…ＡＧＣ回路、１２…オフセットキャンセル回路
１３…アシンメトリキャンセル回路、１４…適応等化器、１５…ビタビ復号器
２０…タイミングリカバリ系回路、３０…ＮＲＺＩ同期化回路
３１…ＳＹＮＣ検出部、３２…データマージ部、３３…選択部
４０…ＭＰＵ、５０…記録学習回路、５１…パターン判別器
５２…理想信号生成部、５３…距離差分算出部、５４…パラメータ算出部
６０…記録系回路、７０…記録波形生成部
【図１】
2008010124.tif 000003
【図２】
2008010124.tif 000004
【図３】
2008010124.tif 000005
【図４】
2008010124.tif 000006
【図５】
2008010124.tif 000007
【図６】
2008010124.tif 000008